(57)【要約】【課題】製造が容易で、家具底面に多少の傾斜が生じてもブレーキがかかるおそれがなく常にスムーズに移動することができる家具用ストッパー付滑り部材を提供する。【解決手段】家具Ｐの載置面に接着する台板１を設ける。台板１の下面中央に低突起部２を配設する。低突起部２は、荷重が加わると床面に接触して滑り止め用のストッパーになる。低突起部２の周囲に高突起部４を配設する。高突起部４は、非荷重時の低突起部２よりも下方に突出するように設ける。台板１、低突起部２、高突起部４を弾性材にて一体成形する。高突起部４の載置面に滑り材５を被覆する。非荷重時の高突起部４を滑り部材として設ける。【選択図】図２
0003194824.tif 000002
【実用新案登録請求の範囲】
【請求項１】
家具の下面に取り付けられる家具用滑り部材において、
家具の載置面に接着する台板と、台板の下面中央に配設され荷重が加わると床面に接触して滑り止め用のストッパーになる低突起部と、該低突起部の周囲に配設され、且つ、非荷重時の低突起部よりも下方に突出する複数の高突起部と、が弾性材にて一体成形され、
高突起部の載置面に滑り材を被覆して非荷重時の高突起部を滑り部材とするように構成したことを特徴とする家具用ストッパー付滑り部材。
【請求項２】
前記低突起部の周囲で、前記高突起部相互の間に前記低突起部と同じ高さの低突起補助材を突設した請求項１記載の家具用ストッパー付滑り部材。
【請求項３】
前記高突起部は、前記台板の外周囲縁がわにテーパーが形成された請求項１記載の家具用ストッパー付滑り部材。
【考案の詳細な説明】
【技術分野】
【０００１】
本考案は、椅子やテーブルなど荷重が加わっていない不使用時等の家具を移動する際に移動が軽くなり、家具に荷重が加わると滑り止め機能が生じる家具用ストッパー付滑り部材に関するものである。
【背景技術】
【０００２】
当考案者は、先に、特許文献１に記載の家具の滑り止め部材を提案している。この滑り止め部材は、家具の底部に張り付けるように形成した台板の中央に、低摩擦部材を配設しこの低摩擦部材の周囲に高摩擦部材を配したものである。
【０００３】
低摩擦部材はゴム材等の弾性材料の表面にフッ素樹脂等の低摩擦材料層を設け、高摩擦部材のゴム材よりもわずかに高くなるように形成する。一方、高摩擦部材のゴム材を低摩擦部材のゴム材よりも弾性係数の低い（柔らかい）ゴム材で形成するものであった。
【０００４】
この結果、例えば、人が座っていない状態の椅子は、低摩擦部材のゴム材の弾性係数が高摩擦部材より高く、わずかに下面方向に突出しているので、低摩擦部材のみが床に接触して、家具は床上を滑り易くなり、床を傷つけること無く軽い力で容易に移動させることができるようになった。
【０００５】
また、椅子に人が座った状態では、低摩擦部材の弾性基部が圧縮されて高さが低くなり高摩擦部材の高さに等しくなるから、高摩擦部材が床に接触して、家具の滑動を防ぎ、家具の移動を防止する滑り止め機能が生じるものである。
【先行技術文献】
【特許文献】
【０００６】
【特許文献１】特開２００４−３５７７３２号公報
【考案の概要】
【考案が解決しようとする課題】
【０００７】
特許文献１の家具の滑り止め部材により、例えばタンスなどを空にすると移動が容易になり、タンスの中に衣服を収納すると滑りにくくなるものである。
【０００８】
ところが、特許文献１によると、低摩擦部材はゴム材と高摩擦部材のゴム材との弾性係数を変えるために、２種類のゴム材を使用する必要があった。そのため、家具の底部に張り付ける台板に、異なった種類のゴム材を配置するといった難しい作業が必要になっていた。
【０００９】
しかも、台板の中央に低摩擦部材を配設し、この低摩擦部材の周囲に高摩擦部材を配したことから、非荷重時の低摩擦部材は周りの高摩擦部材より下面方向に突出した状態になっている。そのため、家具の荷重は常にこの中央の低摩擦部材に加わっているので、弾性材の経年劣化により、次第に低摩擦部材が低くなる不都合が生じていた。
【００１０】
更に、特許文献１のごとく、突出している低摩擦部材の周囲に高摩擦部材を配していると、家具が水平に移動する場合に限り滑りが良好になるが、移動時に家具底面がわずかでも傾くと、低摩擦部材周囲の高摩擦部材が床面に接触するため、突然ブレーキがかかる状態になるおそれがあった。
【００１１】
そこで本考案は、上述の課題を解消すべく案出されたもので、製造が容易で、しかも、移動時に家具底面に多少の傾斜が生じてもブレーキがかかるおそれがなく、常にスムーズに移動することができる家具用ストッパー付滑り部材の提供を目的とするものである。
【課題を解決するための手段】
【００１２】
本考案の第１の手段は、家具の下面に取り付けられる家具用滑り部材において、
家具Ｐの載置面に接着する台板１と、
台板１の下面中央に配設され荷重が加わると床面に接触して滑り止め用のストッパーになる低突起部２と、
該低突起部２の周囲に配設され、且つ、非荷重時の低突起部２よりも下方に突出する複数の高突起部４と、が弾性材にて一体成形され、
高突起部４の載置面に滑り材５を被覆して非荷重時の高突起部４を滑り部材とするように構成したことにある。
【００１３】
第２の手段は、前記低突起部２の周囲で、前記高突起部４相互の間に前記低突起部２と同じ高さの低突起補助材３を突設したものである。
【００１４】
第３の手段において、前記高突起部４は、前記台板１の外周囲縁がわにテーパー４Ａが形成されたものである。
【考案の効果】
【００１５】
請求項１に記載のごとく、台板１の下面中央に配設され荷重が加わると床面に接触して滑り止め用のストッパーになる低突起部２と、該低突起部２の周囲に配設され、且つ、非荷重時の低突起部２よりも下方に突出する複数の高突起部４と、が弾性材にて一体成形されたことで、低突起部２と高突起部４とを簡単に成形することができる。したがって、従来のように、２種類の弾性材を台板１に個別に設けるなどといった面倒な作業は不要になった。
【００１６】
しかも、低突起部２の周囲に高突起部４を配設しているので、非荷重時には、高突起部４に囲まれた内側に低突起部２が没した状態になる。したがって、移動時に家具Ｐ底面に多少の傾斜が生じても低突起部２が床面に接触してブレーキが掛かるおそれはなくなった。また、低突起部２の耐久性が高まる効果もある。
【００１７】
請求項２のように、低突起部２の周囲で、高突起部４相互の間に低突起部２と同じ高さの低突起補助材３を突設したことで、低突起部２と低突起補助材３とにより、滑り止め効果を高めることができる。
【００１８】
請求項３のごとく、高突起部４の台板１の外周囲縁がわにテーパー４Ａを形成したことで、高突起部４による家具Ｐ移動時に、よりスムーズに移動させることができる。
【００１９】
このように、本考案によると、製造が容易で、しかも、移動時に家具Ｐ底面に多少の傾斜が生じてもブレーキがかかるおそれがなく、常にスムーズに移動することができるといった当初の目的を達成した。1
【図面の簡単な説明】
【００２０】
【図１】本考案滑り部材の一実施例を示す底面図である。
【図２】本考案滑り部材の使用状態を示し、（イ）は非荷重時、（ロ）は荷重時を示す断面図である。
【図３】本考案滑り部材の他の実施例を示す底面図である。
【考案を実施するための形態】
【００２１】
以下、本考案を図示例に基づいて説明すると、次の通りである。本考案滑り部材の基本構成は、台板１、低突起部２、高突起部４、滑り材５を備えるものである（図１参照）。これら台板１と低突起部２と低突起補助材３は同じ弾性材にて一体成形されている（図２参照）。この弾性材は、例えば合成ゴム（ＦＲＢ）等が適しているが、他の弾性材を使用することも可能である。
【００２２】
台板１は、椅子の脚の底面やタンスの底面など、家具Ｐの設置面に接着材等で接着する部材である。この台板１の下面に低突起部２や高突起部４を下向きに突設している。図１の台板１は円板状を成しているが、この他、楕円形状など任意の形状に形成することができる（図３参照）。更に、この台板１は、接着基板６を介して家具Ｐに接着されている（図２参照）。
【００２３】
低突起部２は、台板１や低突起部２を形成した弾性材が剥きだしの状態を成しており、低突起部２の下面が床面等に接触すると滑り止めとして機能する部位である（図２（ロ）参照）。この低突起部２は、後述する高突起部４より高さが低い状態で台板１下面に突出している（同図（イ）参照）。図示の低突起部２は、台板１の中央に略矩形状を成している（図１参照）。この低突起部２の形状や面積は任意に変更することができる。
【００２４】
この低突起部２の滑り止め機能を補助するように複数の低突起補助材３を台板１下面に突設している（図１、図３参照）。この低突起補助材３は、低突起部２と同じ高さを有し、低突起部２の周囲で、高突起部４相互の間に突設している。図示の低突起補助材３は、低突起部２の周囲に突設した４本の円柱状を成しているが、低突起補助材３の形状や数、配置位置は任意に変更することができる。
【００２５】
高突起部４は、低突起部２の周囲に配設される部位で、非荷重時の低突起部２よりも下方に突出するように形成している（図２（イ）参照）。そして、高突起部４の載置面に滑り材５を被覆して非荷重時の高突起部４を滑り部材とするように構成したものである。図示の滑り材５は、フッ素樹脂等の低摩擦材料を被覆するものである。
【００２６】
このように、高突起部４は、非荷重時に滑り部材とする部位である。そこで、高突起部４において、台板１の外周囲縁がわにテーパー４Ａを形成することで、よりスムーズな滑り効果が得られるものである（図２（イ）参照）。
【００２７】
尚、本考案滑り部材の具体的構成は図示例に限られるものではなく、台板１、低突起部２、低突起補助材３、高突起部４等の具体的構成、形状、寸法、材質、数、配設位置等は図示例のもの等に限定されることなく適宜自由に設定、変更できるものである。
【符号の説明】
【００２８】
Ｐ  家具
１  台板
２  低突起部
３  低突起補助材
４  高突起部
４Ａ  テーパー
５  滑り材
６  接着基板
【図１】
0003194824.tif 000003
【図２】
0003194824.tif 000004
【図３】
0003194824.tif 000005